(57)【要約】【課題】  本発明は地震によって左右の床躯体が異なる前後方向に揺れ動いた場合、端部目地プレートと側壁との間に三角形状の隙間が生じるのを確実に防止することができるとともに、大きな荷重が端部目地プレートや隙間を覆うことができる補助プレートに加わっても、損傷するのを確実に阻止することができる床用目地装置を得るにある。【解決手段】  床用目地装置において、床面あるいは目地プレートスライド支持凹部の両側部位に形成された補助プレート支持凹部と、一方の床躯体の側壁の下部位置に後端部が枢支され、先端部が補助プレート支持凹部内をスライド移動可能に支持された端部部位の端部目地プレートが前後方向に移動して生ずる隙間を覆う補助プレートと、この補助プレートの先端部側を常時他方の床躯体の側壁に当接するように付勢する付勢装置とで床用目地装置を構成している。【選択図】  図１
2010138547.tif 000002
【特許請求の範囲】
【請求項１】
目地部を介して設けられた左右の床躯体の一方の目地部側の側壁を有する床躯体に形成された目地プレート支持凹部あるいは水平方向に設けられたガイドレールと、この目地プレート支持凹部あるいはガイドレールと対応する他方の目地部側の側壁を有する床躯体床面上にあるいは反目地部側が傾斜面に形成された目地プレートスライド支持凹部と、この床面上あるいは目地プレートスライド支持凹部および前記目地プレート支持凹部あるいはガイドレールに支持され、目地部が狭くなるように一方の床躯体と他方の床躯体とが左右方向に揺れ動いた場合、先端部が床面上をスライド移動あるいは該目地プレートスライド支持凹部上をスライド移動して上方へ回動できるように複数個、隙間なく並列状態で取付けられた目地プレートを用いた床用目地装置において、前記床面あるいは目地プレートスライド支持凹部の両側部位に形成された補助プレート支持凹部と、前記一方の床躯体の側壁の下部位置に後端部が枢支され、先端部が前記補助プレート支持凹部内をスライド移動可能に支持された端部部位の端部目地プレートが前後方向に移動して生ずる隙間を覆う補助プレートと、この補助プレートの先端部側を常時前記他方の床躯体の側壁に当接するように付勢する付勢装置とを設けたことを特徴とする床用目地装置。
【請求項２】
複数個、隙間なく並列状態で取付けられた目地プレートは、地震で異なる前後方向に揺れ動いた場合に、端部部位の端部目地プレートが隣り合う目地プレートの下部へもぐり込んでスライド移動できるように構成されていることを特徴とする請求項1記載の床用目地装置。
【発明の詳細な説明】
【技術分野】
【０００１】
本発明は目地部を介して設けられた側壁を有する左右の床躯体間の目地部を覆う床用目地装置に関する。
【背景技術】
【０００２】
従来、左右の床躯体が異なる前後方向に揺れ動くと、端部目地プレートと床用躯体の側壁との間に三角形状の隙間が生じて危険になるという欠点があった。
この欠点を解消するために、端部目地プレートに補助プレート収納凹部を形成し、該補助プレート収納凹部内にスライド移動可能な補助プレートを設けることが考えられている。
【０００３】
このように補助プレートを端部目地プレートに設けると、左右の床躯体が異なる前後方向に揺れ動いても、三角形状の隙間が生じて危険になるのを防止することができるが、目地プレート上を車両等の大きな荷重が加わる部分では端部目地プレートや補助プレートの強度が得られず、危険であるという欠点があった。
【特許文献１】特開２００４−３４６５０２
【発明の開示】
【発明が解決しようとする課題】
【０００４】
本発明は以上のような従来の欠点に鑑み、地震によって左右の床躯体が異なる前後方向に揺れ動いた場合、端部目地プレートと側壁との間に三角形状の隙間が生じるのを確実に防止することができるとともに、大きな荷重が端部目地プレートや隙間を覆うことができる補助プレートに加わっても、損傷するのを確実に阻止することができる床用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部を介して設けられた左右の床躯体の一方の目地部側の側壁を有する床躯体に形成された目地プレート支持凹部あるいは水平方向に設けられたガイドレールと、この目地プレート支持凹部あるいはガイドレールと対応する他方の目地部側の側壁を有する床躯体床面上にあるいは反目地部側が傾斜面に形成された目地プレートスライド支持凹部と、この床面上あるいは目地プレートスライド支持凹部および前記目地プレート支持凹部あるいはガイドレールに支持され、目地部が狭くなるように一方の床躯体と他方の床躯体とが左右方向に揺れ動いた場合、先端部が床面上をスライド移動あるいは該目地プレートスライド支持凹部上をスライド移動して上方へ回動できるように複数個、隙間なく並列状態で取付けられた目地プレートを用いた床用目地装置において、前記床面あるいは目地プレートスライド支持凹部の両側部位に形成された補助プレート支持凹部と、前記一方の床躯体の側壁の下部位置に後端部が枢支され、先端部が前記補助プレート支持凹部内をスライド移動可能に支持された端部部位の端部目地プレートが前後方向に移動して生ずる隙間を覆う補助プレートと、この補助プレートの先端部側を常時前記他方の床躯体の側壁に当接するように付勢する付勢装置とで床用目地装置を構成している。
【発明の効果】
【０００７】
以上の説明から明らかなように、本発明にあっては次に列挙する効果が得られる。
【０００８】
（１）床用目地装置において、床面あるいは目地プレートスライド支持凹部の両側部位に形成された補助プレート支持凹部と、一方の床躯体の側壁の下部位置に後端部が枢支され、先端部が前記補助プレート支持凹部内をスライド移動可能に支持された端部部位の端部目地プレートが前後方向に移動して生ずる隙間を覆う補助プレートと、この補助プレートの先端部側を常時他方の床躯体の側壁に当接するように付勢する付勢装置とを用いたので、地震で左右の床躯体が異なる前後方向に揺れ動き、端部目地プレートが一方の床躯体の側壁より離れて三角形状の隙間が生じても、該三角形状の隙間に補助プレートが位置して、その隙間を覆うことができ、開口部が生じるのを確実に防止することができる。
【０００９】
（２）前記（１）によって、補助プレートは目地プレートスライド支持凹部に形成した補助プレート支持凹部内をスライド移動可能に支持されているので、端部目地プレートを該端部目地プレートと隣り合う目地プレートと同様に構成したものを用いることができるとともに、補助プレートは補助プレート支持凹部に支持されており、十分な強度が得られる。
【００１０】
（３）前記（１）によって、補助プレートの後端部を一方の床躯体の側壁の下部位置に枢支しているので、端部目地プレートの移動に関係なく、一方の床躯体側の端部に隙間が生じるのを補助プレートでカバーすることができる。
【００１１】
（４）前記（１）によって、端部目地プレートと補助プレートとが別になっているので、スムーズに移動させることができるとともに、端部目地プレートを容易に、安価に製造することができる。
【００１２】
（５）請求項２も前記（１）〜（４）と同様な効果が得られるとともに、端部目地プレートの前後方向の移動をスムーズに行なわせることができる。
【発明を実施するための最良の形態】
【００１３】
以下、図面に示す本発明を実施するための最良の形態により、本発明を詳細に説明する。
【００１４】
図１ないし図９に示す本発明を実施するための最良の第１の形態において、１は目地部２を介して設けられた側壁３、３、３、３を有する左右の床躯体４、４間を、車両等の大きな荷重が加わっても安全に通行することができる本発明の床用目地装置で、この床用目地装置１は前記左右の床躯体４、４の一方の目地部側の床躯体４にほぼ水平状態で固定されたガイドレール５と、このガイドレール５と対応する他方の目地部側の床躯体４に形成された反目地部側が傾斜面６に形成された目地プレートスライド支持凹部７と、後端部の上面が前記一方の床躯体４の上面とほぼ同一面となるように前記ガイドレール５にスライド移動可能に支持され、先端部が前記目地プレートスライド支持凹部７を覆うように支持された複数個、本発明を実施する形態では３個の目地プレート８、８、８と、この３個の目地プレート８、８、８の内の両端部の目地プレート８、８が位置する、前記目地プレートスライド支持凹部７に反目地部側が傾斜面９、９に形成された補助プレート支持凹部１０、１０と、この補助プレート支持凹部１０、１０に先端部がスライド移動可能に支持され、後端部が前記一方の床躯体４の側壁下部位置で、前記目地プレート８、８、８のスライド移動を阻止しない部位に固定された枢支ピン１１、１１に枢支された補助プレート１２、１２と、この補助プレート１２、１２の先端部側を常時他方の床躯体４の側壁３、３に当接するように付勢する付勢機構としての付勢スプリング１３、１３と、前記目地プレートスライド支持凹部７および補助プレート支持凹部１０、１０に必要に応じて設けられる目地プレート８、８、８および補助プレート１２、１２をスムーズにスライド移動させるための所定間隔で多数個の半球状、円錐状あるいは角錐状の突起１４が形成されたスライド支持金具１５、１５Ａ、１５Ａとで構成されている。
なお、両端部の目地プレート８、８と、補助プレート１２、１２の間にはわずかな隙間やあるいは補助プレート１２、１２の上面に小さな突起を多数個形成して、スライド移動時の端部目地プレート８、８と補助プレート１２、１２との抵抗を小さくしてスムーズにスライド移動できるようにする。
【００１５】
前記目地プレート８、８、８は図４に示すように、長方形浅皿状に金属材で形成された目地プレート本体１６と、この目地プレート本体１６の後端部の底面に固定された、前記ガイドレール５に複数個のローラー１７を介してスライド移動可能に支持される支持部材１８と、前記目地プレート本体１６内に充填されたモルタルやコンクリート１９と、このモルタルやコンクリート１９の上部に敷設されたレンガやタイル等の床化粧板２０と、前記目地プレート本体１６の先端部にヒンジ部材２１を介して、先端部が上下方向に回動できるように取付けられたカバープレート２２とで構成されている。
【００１６】
前記補助プレート１２、１２は図５に示すように、大きな荷重が加わっても変形しない、例えば５ｍｍ以上の厚さの金属板で形成されたもので、枢支ピン挿入孔２３が形成された後端部は外側外方へ突出する支持部２４と、この支持部２４と一体形成された、該支持部側の内側面２５がほぼ３０度の傾斜面に形成され、外側面２６が直線状に形成されたほぼ扇状の補助プレート本体２７とで構成されている。
【００１７】
上記構成の床用目地装置１は、地震によって目地部２が広くなるように揺れ動くと、図６に示すように目地プレート８、８、８の先端部が目地プレートスライド支持凹部７を覆っているスライド支持金具１５上をスライド移動して、その揺れ動きを吸収する。
目地部２が狭くなるように揺れ動くと、図７に示すように、目地プレート８、８、８の先端部が傾斜面６に沿って上方へスライド移動し、その揺れ動きを吸収する。
なお、揺れ動きが停止すると、目地プレート８、８、８は元の位置へ自動的に戻る。
次に左右の床躯体４、４が異なる前後方向に揺れ動いた場合、図８および図９に示すように、目地プレート８、８、８の先端部は他方の床躯体４の両側壁３、３と一体となって前後方向にスライド移動するため、目地プレート８、８、８の後端部はガイドレール５上をスライド移動する。
この目地プレート８、８、８のガイドレール５に沿ってのスライド移動によって、端部目地プレート８、８の外側端部と一方の床躯体４の側壁３、３との間に三角形状の隙間が生じるが、補助プレート１２、１２が付勢スプリング１３、１３によって他方の床躯体４の側壁３、３に当接するように付勢されているため、外方へ突出し、端部目地プレート８、８の外側端部に生ずる隙間を補助プレート１２、１２で覆うことができる。
なお、補助プレート１２、１２の先端部は補助目地プレート支持凹部１０を覆っているスライド支持金具１５Ａ、１５Ａ上をスライド移動するとともに、該スライド支持金具１５Ａ、１５Ａで支持され、かつ上面は端部目地プレート８、８の底面によって押し圧されるため、大きな荷重が加わっても曲がったり、損傷したりするのを効率よく防止することができる。
[発明を実施するための異なる形態]
【００１８】
次に、図１０ないし図２４に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１９】
図１０ないし図１３に示す本発明を実施するための第２の形態において、前記本発明を実施するための最良の第１の形態と主に異なる点は、補助プレート支持凹部１０Ａの反目地部側を、目地部２が狭くなると補助プレート１２Ａ、１２Ａを内側へ回動できるような傾斜面２８に形成した点で、このように構成した床用目地装置１Ａにしても、前記本発明を実施するための最良の第１の形態と同様な作用効果が得られる。
【００２０】
図１４ないし図１７に示す本発明を実施するための第３の形態において、前記本発明を実施するための最良の第１の形態と主に異なる点は、一方の床躯体４の目地部側に目地プレート支持凹部２９を形成し、２倍の幅寸法に形成した２個の中央部の目地プレート８Ａ、８Ａの中央部および内側端部寄りの後端部を係止ピン３０、３０、３０、３０で係止するとともに、端部目地プレート８、８と接触する側面を端部目地プレート８、８がもぐり込むような傾斜面３１、３２および３１、３２に形成した点で、このように構成した床用目地装置１Ｂにしても、前記本発明を実施するための最良の第１の形態と同様な作用効果が得られる。
【００２１】
図１８ないし図２１に示す本発明を実施するための第４の形態において、前記本発明を実施するための第３の形態と主に異なる点は、一方の床躯体４の目地部側に固定した目地プレート支持金具３３で目地プレート支持凹部２９を形成するとともに、この目地プレート支持凹部２９に支持される中央部の目地プレート８Ａ、８Ａをスプリング３４で常時目地プレート支持金具３３側へ付勢することができる皿ビス３５、３５、３５、３５で、端部目地プレート８、８がもぐり込めるように構成した点で、このように構成した床用目地装置１Ｃにしても、前記本発明を実施するための第３の形態と同様な作用効果が得られる。
【００２２】
図２２ないし図２４に示す本発明を実施するための第５の形態において、前記本発明を実施するための第２の形態と主に異なる点は、他方の床躯体４の目地部側の上面に支持される厚さが５ｍｍ以上の金属材製の目地プレート８Ｂ、８Ｂ、８Ｂを用いた点で、このように形成された目地プレート８Ｂ、８Ｂ、８Ｂを用いて床用目地装置１Ｄを構成しても、前記本発明を実施するための第２の形態と同様な作用効果が得られる。
なお、この本発明の実施の形態では３枚の目地プレート８Ｂ、８Ｂ、８Ｂを並列させたものについて説明したが、本発明はこれに限らず、１枚の目地プレートを用いたり、複数枚の目地プレートを固定的に接続して、隣の目地プレートと重なり合うのを確実に防止するようにして使用しても同様な作用効果が得られる。
【産業上の利用可能性】
【００２３】
本発明は床用目地装置を製造する産業で利用される。
【図面の簡単な説明】
【００２４】
【図１】本発明を実施するための最良の第１の形態の平面図。
【図２】図１の２−２線に沿う断面図。
【図３】本発明を実施するための最良の第１の形態の補助プレート支持凹部を示す説明図。
【図４】本発明を実施するための最良の第１の形態の目地プレートの説明図。
【図５】本発明を実施するための最良の第１の形態の補助プレートの説明図。
【図６】本発明を実施するための最良の第１の形態の目地部が広くなった動作説明図。
【図７】本発明を実施するための最良の第１の形態の目地部が狭くなった動作説明図。
【図８】本発明を実施するための最良の第１の形態の異なる前後方向の一方の動作説明図。
【図９】本発明を実施するための最良の第１の形態の異なる前後方向の他方の動作説明図。
【図１０】本発明を実施するための第２の形態の平面図。
【図１１】図１０の１１−１１線に沿う断面図。
【図１２】補助プレートと補助プレート支持凹部を示す説明図。
【図１３】目地部が狭くなった動作説明図。
【図１４】本発明を実施するための第３の形態の平面図。
【図１５】図１４の１５−１５線に沿う断面図。
【図１６】図１４の１６−１６線に沿う断面図。
【図１７】本発明を実施するための第３の形態の異なる前後方向の動作説明図。
【図１８】本発明を実施するための第４の形態の平面図。
【図１９】図１８の１９−１９線に沿う断面図。
【図２０】図１８の２０−２０線に沿う断面図。
【図２１】本発明を実施するための第４の形態の異なる前後方向の動作説明図。
【図２２】本発明を実施するための第５の形態の平面図。
【図２３】図２２の２３−２３線に沿う断面図。
【図２４】補助プレートと補助プレート支持凹部を示す説明図。
【符号の説明】
【００２５】
１、１Ａ、１Ｂ、１Ｃ、１Ｄ：床用目地装置、
２：目地部、                  ３：側壁、
４：床躯体、                  ５：ガイドレール、            
６：傾斜面、                                                
７：目地プレートスライド支持凹部、
８、８Ａ、８Ｂ：目地プレート、９：傾斜面、
１０、１０Ａ：補助プレート支持凹部、
１１：枢支ピン、              １２、１２Ａ：補助プレート、
１３：付勢スプリング、        １４：突起、
１５、１５Ａ：スライド支持金具、
１６：目地プレート本体、      １７：ローラー、
１８：支持部材、                            
１９：モルタルやコンクリート、２０：床化粧板、
２１：ヒンジ部材、            ２２：カバープレート、
２３：枢支ピン挿入孔、        ２４：支持部、
２５：内側面、                ２６：外側面、
２７：補助プレート本体、      ２８：傾斜面、
２９：目地プレート支持凹部、  ３０：係止ピン、
３１、３２：傾斜面、          ３３：目地プレート支持金具、
３４：スプリング、            ３５：皿ビス。
【図１】
2010138547.tif 000003
【図２】
2010138547.tif 000004
【図３】
2010138547.tif 000005
【図４】
2010138547.tif 000006
【図５】
2010138547.tif 000007
【図６】
2010138547.tif 000008
【図７】
2010138547.tif 000009
【図８】
2010138547.tif 000010
【図９】
2010138547.tif 000011
【図１０】
2010138547.tif 000012
【図１１】
2010138547.tif 000013
【図１２】
2010138547.tif 000014
【図１３】
2010138547.tif 000015
【図１４】
2010138547.tif 000016
【図１５】
2010138547.tif 000017
【図１６】
2010138547.tif 000018
【図１７】
2010138547.tif 000019
【図１８】
2010138547.tif 000020
【図１９】
2010138547.tif 000021
【図２０】
2010138547.tif 000022
【図２１】
2010138547.tif 000023
【図２２】
2010138547.tif 000024
【図２３】
2010138547.tif 000025
【図２４】
2010138547.tif 000026